(57)【特許請求の範囲】
【請求項１】
帳票としての基材となるものであって、第１構成片及び第２構成片が折り込み部分で連設され、当該第２構成片が外側周縁を所定幅で分離自在とされる分離部を備えるシート基材と、
前記シート基材の第１構成片と略同一大の中間シートを備え、一方面に剥離可能であって再貼付不可の弱接着層が配置されると共に、他方面に剥離不能な強接着層、剥離剤層及び剥離シートが順次配置され、当該弱接着層側が当該第１構成片の裏面に配置される貼付機能部と、
前記シート基材の第２構成片と略同一大の折込補助シートを備え、一方面に順次強接着層及び少なくとも当該第２構成片の前記分離部に相当する位置に剥離剤層が配置されて当該剥離剤層側が当該第２構成片の裏面に配置される折込接着機能部と、
を有することを特徴とする帳票シート。
【請求項２】
請求項１記載の帳票シートであって、前記折込接着機能部における前記折込補助シートの厚さを前記貼付機能部の厚さに相当させることを特徴とする帳票シート。
【請求項３】
請求項１記載の帳票シートであって、前記折込接着機能部の剥離剤層と前記第２構成片の裏面との間に、当該第２構成片側から弱接着層又は強接着層、中間シートを配置させると共に、当該第２構成片の分離部を当該中間シートの対応部分まで同一化させることを特徴とする帳票シート。
【請求項４】
請求項３記載の帳票シートであって、前記折込接着機能部の折込補助シートを前記貼付機能部の中間シートと同一厚とさせると共に、当該折込接着機能部の中間シートを当該貼付機能部の剥離シートと同一厚とさせることを特徴とする帳票シート。
【発明の詳細な説明】
【技術分野】
【０００１】
本発明は、対象物に所定事項を印字した後に貼付される連絡票、配送（配達）票や納品票などの帳票類となる帳票シートに関する。
【背景技術】
【０００２】
近年、例えば、通信販売における所定の集配所やコンビニエンスストアの各フランチャイズ店等に対する一括した商品配送に際して、商品のピッキング作業から配送伝票の作製、貼り付け等の一連の配送作業が行われている。これら配送作業における配送伝票等の作製は、所定フォームの帳票シートに各々独自に保有しているプリンタで対応情報を印字している。このような印字対象の帳票シートにおいては各種プリンタに対する調整等が不要で適正印字されることが望まれている。
【０００３】
従来、上記のような配送等で使用される配送票等の作製において、プリンタで対応情報を印字する所定フォームの帳票（帳票シート）としての納品管理票が、以下の特許文献１で提案されている。特許文献１で提案されている納品管理票は、表面側に払込取扱票、払込票兼受領票、払込票、納品明細票、返品連絡票及び白紙部のそれぞれが、切り取り部を境に連設してなるシート上であって、白紙部上（表面側）に、配送情報記入部をそれぞれ有する貼付票及び配達票兼受領票とからなる配送票を剥離可能かつ再接着可能に設け、当該配達票兼受領票が再接着後に再剥離可能とされる構成としている。
【０００４】
ところで、上記納品管理票は、配送情報をプリンタ等で記入した後、剥離可能かつ再接着可能に折り曲げ接着をする場合に、このような機能の感圧接着剤に多大な圧力を加えるために圧力装置（例えば、圧力ローラ装置）を必要とする。一方で、このような圧力装置を必要とせずに通常の粘着剤で人手によっても容易に接着できる形態が、以下の特許文献２において提案されている。
【０００５】
当該特許文献２で提案されている封筒型伝票は、表側紙の裏面に設けられた剥離層に糊付きの裏側紙を接着した、いわばシール紙を裏返しにして剥離紙側を印字面とした厚さ均一なる単票用紙の中央よりやや下方に折目線を設け、さらに折目線より下方の縁に、表側紙がスリッタにより他の部分と切り離なされて剥離可能となっており、表側紙を剥離したときに表れるようになった糊代を設けることによって折目線より上下二つ折りにして封筒型の伝票としたものである。
【０００６】
ここで、図９に、従来の帳票シートに関連する伝票の説明図を示す。図９（Ａ）は、上記特許文献２に示されている封筒型伝票の側面を模式的に示したものである。図における当該封筒型伝票は、表側紙１０１の裏面に剥離剤層１０２が形成され、当該剥離剤層１０２側に糊１０３が設けられた裏側紙１０４を、剥離剤層１０２と糊１０３とを対向させて接着したものとして表すことができる。
【０００７】
【特許文献１】特開２００１−１２１８４５号公報
【特許文献２】特開２００２−１７８６７２号公報
【発明の開示】
【発明が解決しようとする課題】
【０００８】
しかしながら、上記特許文献１で提案されている納品管理票は、当該特許文献１の図３に示されているように、１層部分と３層部分とが連設されている構造となっており、３層構造までは各種プリンタにおいて調整が不要（又は簡単な調整）とされるが、１層部分と３層部分とで２層分の段差が生じることから、１層部分の印字と３層部分の印字とで印字状態が異なって印字品質が劣り、プリンタ適正に問題がある。
【０００９】
一方、特許文献２で提案されている封筒型伝票は、特許文献１で提案されているような貼付のための帳票ではないことから、このような形態で貼り付け可能とするためには、最低限として、図９（Ｂ）に示すように、裏側紙１０４の一方側の裏面に糊１０５を設け、これに剥離剤層１０６が設けられた剥離紙１０７を設ける必要がある。しかしながら、このような貼り付けのための構造で、対象物に貼付し、配送後に伝票として二つ折りされた当該表側紙１０１を剥がしたが場合に、対象物又は伝票側に糊１０５が残り粘着感を与えることとなって好ましくない。
【００１０】
そこで、これを解消するためには、図９（Ｃ）に示すように、裏側紙１０４の一方側の裏面に剥離可能で再貼付不可の感圧接着剤１０８を設けて中間紙１０９を接着して当該中間紙１０９の裏面に糊１１０を設け、これに剥離剤層１１１が設けられた剥離紙１１２を設ける必要がある。しかしながら、２層部分と４層部分とが連設された状態となることから、２層分の段差が生じて上記同様の印字品質に劣るという問題があると共に、全体で４層となることから各種プリンタ側で厚さ調整をしなければならず、煩雑であり、プリンタ適正に問題がある。
【００１１】
そこで、本発明は上記課題に鑑みなされたもので、印字を行う各種のプリンタに対するプリンタ適正を向上させる帳票シートを提供することを目的とする。
【課題を解決するための手段】
【００１２】
上記課題を解決するために、請求項１の発明では、帳票としての基材となるものであって、第１構成片及び第２構成片が折り込み部分で連設され、当該第２構成片が外側周縁を所定幅で分離自在とされる分離部を備えるシート基材と、前記シート基材の第１構成片と略同一大の中間シートを備え、一方面に剥離可能であって再貼付不可の弱接着層が配置されると共に、他方面に剥離不能な強接着層、剥離剤層及び剥離シートが順次配置され、当該弱接着層側が当該第１構成片の裏面に配置される貼付機能部と、前記シート基材の第２構成片と略同一大の折込補助シートを備え、一方面に順次強接着層及び少なくとも当該第２構成片の前記分離部に相当する位置に剥離剤層が配置されて当該剥離剤層側が当該第２構成片の裏面に配置される折込接着機能部と、を有する構成とする。
【００１３】
請求項２〜４の発明では、「前記折込接着機能部における前記折込補助シートの厚さを前記貼付機能部の厚さに相当させる」構成であり、
「前記折込接着機能部の剥離剤層と前記第２構成片の裏面との間に、当該第２構成片側から弱接着層又は強接着層、中間シートを配置させると共に、当該第２構成片の分離部を当該中間シートの対応部分まで同一化させる」構成であり、
「前記折込接着機能部の折込補助シートを前記貼付機能部の中間シートと同一厚とさせると共に、当該折込接着機能部の中間シートを当該貼付機能部の剥離シートと同一厚とさせる」構成である。
【発明の効果】
【００１４】
請求項１の発明によれば、第１構成片及び第２構成片が折り込み部分で連設された帳票となるシート基材が、当該第２構成片に外側周縁に分離部を備えるもので、中間シートの一方面に剥離可能であって再貼付不可の弱接着層が配置されると共に、他方面に剥離不能な強接着層、剥離剤層、剥離シートが順次配置された貼付機能部の当該弱接着層側を当該第１構成片の裏面に配置させ、一方、折込補助シートの一方面に順次強接着層及び少なくとも当該第２構成片の分離部に相当する位置に剥離剤層が配置された折込接着機能部の当該剥離剤層側を当該第２構成片の裏面に配置させる構成とすることにより、シート基材の同一面に全体として最大３層構造とされる貼付機能部と、最小２層構造とされる折込接着機能部とが同一側に配置されることとなることから、印字を行う各種のプリンタの調整を不要とし、さらに最小限の段差とさせて印字品質を向上させることができ、プリンタ適正、特にノンインパクト方式のプリンタ適正を向上させることができるものである。
【００１５】
請求項２の発明によれば、折込接着機能部における折込補助シートの厚さを貼付機能部の厚さに相当させることにより、貼付機能部と折込接着機能部とを略同一面とさせることができ、印字品質の向上、プリンタ適正を向上させることができる。
【００１６】
請求項３の発明によれば、折込接着機能部の剥離剤層と第２構成片の裏面との間に、当該第２構成片側から弱接着層又は強接着層、中間シートを配置させると共に、当該第２構成片の分離部を当該中間シートの対応部分まで同一化させることにより、折込接着機能部と貼付機能部の層数を同一とさせることから、これらの厚さを同一とさせる精度を向上させることができ、さらなる印字品質の向上、プリンタ適正を向上させることができる。
【００１７】
請求項４の発明によれば、請求項３における折込接着機能部の折込補助シートを貼付機能部の中間シートと同一厚とさせると共に、当該折込接着機能部の中間シートを当該貼付機能部の剥離シートと同一厚とさせることにより、折込接着機能部及び貼付機能部を互いに同一厚のシートで構成させることとなることから全体を同一面とさせることが可能となり、さらなる印字品質の向上、プリンタ適正を向上させることができる。
【発明を実施するための最良の形態】
【００１８】
以下、本発明の最良の実施形態を図により説明する。以下の各実施形態においては、各種接着層及び剥離剤層の図示を、理解容易とするために視認状態で示すが、実際は各種接着層の厚さは数十μｍ〜数百μｍであり、剥離剤層の厚さは数十μｍ程度である。また、各実施形態では、本発明に係る帳票シートの材質を紙類として説明するが、紙類に限らず印字可能な樹脂シート等のシートであっても適用することができるものである。
【００１９】
図１に、本発明に係る帳票シートの第１実施形態の構成図を示す。図１（Ａ）において、帳票シート１１は、帳票としての基材となるものであって、紙類等のシート基材１２の所定位置に折込線１３を境として第１構成片１４及び第２構成片１５が連設されたものであり、図中表れている側が図１（Ｂ）に示す内側面となる。この第２構成片１５には、その外側周縁を所定幅で分離自在な分離部１５Ｂとさせる切取線１６（折込線１３の両端側を含む）が形成される（図１（Ｂ）参照）。
【００２０】
上記第１構成片１４の裏面に、順次、剥離可能であって再貼付不可の弱接着層２１、当該第１構成片１４と略同一大の紙類等の中間シート２２、剥離不能な強接着層２３、剥離剤層２３及び紙類等の剥離シート２５が貼付機能部として配置される。すなわち、貼付機能部の中間シート２２の一方面に弱接着層２１が配置され、他方面に強接着層２３、剥離剤層２４及び剥離シート２５が順次配置され、当該弱接着層２１側で当該第１構成片１４の裏面に配置される構成となる。ここで、弱接着層２１は、従前より知られている感圧接着剤で形成され、強接着層２３は従前より知られている剥離不能な接着剤又は粘着剤で形成されるものである。
【００２１】
一方、第２構成片１５の裏面に、順次、例えば全面で設けられる剥離剤層２６、剥離不能な強接着層２７及び当該第２構成片１５と略同一大の紙類等の折込補助シート２８が折込接着機能部として配置される。すなわち、折込接着機能部における折込補助シート２８の一方面に順次強接着層２７及び全面で設けられる剥離剤層２６が配置されて当該剥離剤層２６側が当該第２構成片１５の裏面に配置される構成となる。なお、ここでは、剥離剤層２６を全面形成として説明したが、少なくとも当該第２構成片１５の分離部１５Ｂに相当する位置に配置されれば十分である。
【００２２】
そして、図１（Ｃ）に示す外側面の上記折込補助シート２８には、上記切取線１６に対応する強接着層２７に対して開封のための切取線２９が形成される。当該切取線２９は、例えばハサミによって切り取ることを示唆する表示とするが、ハサミを使用せずに切り取るミシン目線であってもよく、この場合には第２構成片１５においても対応のミシン目線が形成されることとなる。
【００２３】
ここで、図１（Ｂ）、（Ｃ）は、図１（Ａ）の帳票シート１１が、後に所定のプリンタで、例えば配送票として印字される場合を示したものである。図１（Ｂ）において、帳票シート１１の内側面となる第１構成片１４の表面（上記裏面に対する面）に、例えば配送票としての商品情報等が印字される。また、図１（Ｃ）において、帳票シート１１の外側面となる上記折込補助シート２８には、配送票としての配送先などの情報が印字されると共に、上述の切取線２９に対する表示情報が印字される。なお、剥離シート２５においても当該剥離シート２５を取り除いて貼り付けるための情報が表示されるが、当該情報表示は特に同時の印字でなくとも予め表示させておくこととしてもよい。
【００２４】
このように、シート基材１２の同一面に全体として最大３層構造とされる貼付機能部と、最小２層構造とされる折込接着機能部とが配置されることとなる。これによって、印字を行う各種のプリンタの調整を不要とさせることができ、さらに貼付機能部と折込接着機能部との段差を最小限とさせていることから、印字品質を向上させることができるもので、プリンタ適正、特にノンインパクト方式のプリンタ適正を向上させることができるものである。
【００２５】
そこで、図２及び図３に、図１の帳票シートの使用形態の説明図を示す。なお、図２及び図３では、図１（Ｂ）、（Ｃ）に示すような、情報印字がなされた後のこととして当該情報表示は図示を省略してある。すなわち、図２（Ａ）に示すように、図１（Ａ）の印字済の帳票シート１１に対して、まず、分離部１５が剥離剤層２６と共に、強接着層２７より分離されると、当該部分で強接着層２７の部分が表出される。
【００２６】
そこで、図２（Ｂ）に示すように、強接着層２７が表出した第２構成片１５を第１構成片１３側に折込線１３で折り込み、図２（Ｃ）に示すように、表出した強接着層２７を第１構成片１３の対応部分に接着させることで、図１（Ｂ）に示すような印字情報が秘匿された帳票（配送票）となり、表面に図１（Ｃ）に示すような配送票としての配送情報が表示されることとなる。
【００２７】
この帳票を配送物に貼り付ける場合、図２（Ｄ）に示すように、貼付機能部の剥離シート２５を剥離剤層２６と共に分離させることで貼付対象帳票３１Ａとして強接着層２３が表出される。なお、図２（Ｃ）、（Ｄ）及び後述の図３（Ａ）、（Ｂ）においては、折込補助シート２８に膨らみがあるように示してあるが、図中の剥離剤層２６の厚みに対応させて概念的に示したものであって、実際は視認できないよう膨らみであり、略平坦状態である。
【００２８】
続いて、図３（Ａ）に示すように、図２（Ｄ）で剥離シート２５（剥離剤層２６）が分離された貼付対象帳票３１Ａは、配送物（帳票貼付対象物）３２に貼り付けられる。この状態で配送物３２が配送される。そして、図３（Ｂ）に示すように、配送先において配送物３２より貼付対象帳票３１Ａから弱接着層２１部分で剥離して分離帳票３１Ｂとし、切取線２９を所定の手段で切り取ることにより、第１構成片１４の表面に印字された情報（図示せず）が表出されるものである。
【００２９】
次に、図４に、本発明に係る帳票シートの第２実施形態の構成図を示す。図４に示す帳票シート１１は、図１の帳票シート１１における折込接着機能部の折込補助シート２８を、貼付機能部の中間シート２２及び剥離シート２５の合計厚さと同等の厚さの折込補助シート２８Ａとしたもので、他の構成は図１と同様である。これによって、上記第１実施形態では１層分の段差を生じていたものを、段差部分をなくして貼付機能部と折込接着機能部とを略同一面とさせることができ、さらなる印字品質の向上、プリンタ適正を向上させることができるものである。
【００３０】
次に、図５に、本発明に係る帳票シートの第３実施形態の構成図を示す。図５（Ａ）に示す帳票シート１１は、上記第２構成片１５の裏面より、強接着層４１、中間シート４２、剥離剤層４３、強接着層４４及び折込補助シート２８Ｂを順次配置させ、第２構成片１５の分離部１５Ｂを当該中間シート４２の対応部分まで同一化させたものである。すなわち、折込接着機能部の剥離剤層４３と第２構成片１５の裏面との間に、当該第２構成片１５側から強接着層４１、中間シート４２を配置させることにより、当該折込接着機能部の層数と貼付機能部の層数とを同一にさせたもので、他の構成は図１（Ａ）と同様である。
【００３１】
この場合、上記折込接着機能部の折込補助シート２８Ｂを貼付機能部の中間シート２２と同一厚とさせると共に、当該折込接着機能部の中間シート４２を当該貼付機能部の剥離シート２５と同一厚とさせることにより、折込接着機能部と貼付機能部とが同一厚となって、全面が同一面となるものである。なお、折込接着機能部の折込補助シート２８Ｂと上記貼付機能部の剥離シート２５とを同一厚とし、当該折込接着機能部の中間シート４２と当該貼付機能部の中間シート２２とを同一厚とすることによっても、折込接着機能部と貼付機能部とを同一厚とさせることができ、全面が同一面となるものである。また、第２構成片１５の分離部１５Ｂとする切取線１６に対応して、中間シート４２に切取線１６Ａが形成される。すなわち、第２構成片１５の分離部１５Ｂが当該中間シート４２の対応部分の分離部１５Ｃまで同一化されたものとなる。
【００３２】
上記の貼付機能部と折込接着機能部とは、図５（Ｂ）〜（Ｄ）に示す作製説明図によって容易に作製することができる。すなわち、図５（Ｂ）に示すように、剥離シート付接着シート５１が用意される。当該剥離シート付接着シート５１は、中間シート兼用折込補助シート５２の裏面より強接着層５３、剥離剤層５４及び中間シート兼用剥離シート５５が配置された構成のものである。
【００３３】
上記剥離シート付接着シート５１が、図５（Ｃ）に示すように、２つに分離されて一方を貼付機能部の一部とする。すなわち、中間シート兼用折込補助シート５２の一部を中間シート２２とし、強接着層２３（５３）及び剥離剤層２４（５４）を介在させて、中間シート兼用剥離シート５５の一部を剥離シート２５（５５）としたもので、中間シート２２（５２）側が図５（Ａ）に示すように弱接着層２１を介して第１構成片１４の裏面に接着されて貼付機能部となるものである。
【００３４】
また、上記剥離シート付接着シート５１より上記貼付機能部の一部が分離された残りを反転させて、図５（Ｄ）に示すような折込接着機能部の一部とされる。すなわち、中間シート兼用剥離シート５５の残りを中間シート４２（５５）とし、剥離剤層４３（５４）及び強接着層４４（５３）を介在させて、中間シート兼用折込補助シート５２の一部を折込補助シート２８Ｂ（５２）としたもので、中間シート４２（５５）側が図５（Ａ）に示すように強接着層４１を介して第２構成片１５の裏面に接着されて折込接着機能部となるものである。
【００３５】
この場合、中間シート４２（５２）には、第２構成片１５に形成された切取線１６に対応した切取線１６Ａが形成されて分離部１５Ｃとされ、第２構成片１５上に形成される分離部１５Ｂと同一化される。なお、第２構成片１５には切取線１６が形成されていない状態とし、上記中間シート４２（５２）が接着された後に、例えばレーザ加工等により切取線１６と切取線１６Ａとを同時に形成させることも可能である。
【００３６】
このように、貼付機能部と折込接着機能部とを同一部材より容易に作製することが可能であり、これによって帳票シート１１全体を同一面とさせることができることから、さらなる印字品質の向上、プリンタ適正を向上させることができる。この場合、上記第２実施形態の折込補助シート２８Ａの厚さを貼付機能部の厚さと相当させる場合の誤差を、当該第３実施形態の構成とすることで吸収させることができることから、特に有効である。
【００３７】
なお、当該第３実施形態は、当該実施形態の最良の形態を示したもので、必ずしも折込補助シート２８Ｂを貼付機能部の中間シート２２と同一厚とさせず、また、当該折込接着機能部の中間シート４２を当該貼付機能部の剥離シート２５と同一厚とさせなくとも、折込接着機能部と貼付機能部の層数を同一とさせることによって、上述の第２実施形態と比べてこれらの厚さを同一とさせる精度を向上させることができ、さらなる印字品質の向上、プリンタ適正を向上させることができる。
【００３８】
ところで、図５（Ａ）における第２構成片１５の裏面に強接着層４１を配置した場合を示したが、弱接着層としてもよい。すなわち、第２構成片１５Ａ（図２参照）より中間シート４２を剥離可能とし、後に当該中間シート４２が剥離されたときに第２構成片１５Ａ上に所定の情報を表出させるようにすることができるものである。
【００３９】
次に、図６に、本発明に係る帳票シートの第４実施形態の構成図を示す。図６に示す帳票シート１１は、図５（Ａ）に示される貼付機能部の剥離シート２５と折込接着機能部の折込補助シート２８Ｂとを一体化して剥離シート兼用折込補助シート６１としたもので、上記折込線１３と対応する位置に切取線６２を形成したものであり、他の構成は図５（Ａ）と同様である。当該切取線６２は、後に貼付機能部を構成する剥離シートとして分離させるためのものである。なお、ここでは、第２構成片１５の裏面には弱接着層４１Ａを配置させるものとしている。
【００４０】
そこで、図７及び図８に、図６の帳票シートの製造説明図を示す。まず、図７（Ａ）において、紙類等のシート基材７１の貼付機能部及び折込接着機能部に相当する位置に、弱接着剤塗布部７２により、弱接着層２１，４１Ａを塗布する。さらに、当該弱接着層２１，４１Ａ上に、図７（Ｂ）に示すように、中間シート２２，４２をそれぞれ貼り付け、当該中間シート２２，４２上に強接着剤塗布部７３及び剥離剤塗布部７４により強接着層２３及び剥離剤層４３を塗布する。そして、図７（Ｃ）に示すように、シート基材７１に折込線１３が形成されると共に、当該折込線１３により形成された第２構成片１５（７１）及び中間シート４２に、分離部１５Ｂ（１５Ｃ）とさせるための切取線１６（１６Ａ）が形成される。
【００４１】
一方、図８に示すように、剥離シート兼用折込補助シート６１上に、剥離剤塗布部７４及び強接着塗布部７３により剥離剤層２４及び強接着層４４を塗布する。これを図７（Ｃ）に示す対応の強接着層２３及び剥離剤層４３に重ね接着させることで、図６に示す帳票シート１１が作製されるものである。
【００４２】
上記図６に示す帳票シート１１は、貼付機能部の剥離シートとなるシートと折込接着機能部の折込補助シートとなるシートとが、少なくともプリント時に一体化されていることから、特に帳票シートを湾曲させて搬送させるプリンタによって印字する場合、貼付機能部、折込接着機能部の構成部分が剥がれることを回避させることができ、さらなるプリンタ適正を向上させることができるものである。
【産業上の利用可能性】
【００４３】
本発明の帳票シートは、所定事項を印字した後に対象物に貼付される連絡票、配送（配達）票や納品票などの帳票類への利用に適する。
【図面の簡単な説明】
【００４４】
【図１】本発明に係る帳票シートの第１実施形態の構成図である。
【図２】図１の帳票シートの使用形態の説明図（１）である。
【図３】図１の帳票シートの使用形態の説明図（２）である。
【図４】本発明に係る帳票シートの第２実施形態の構成図である。
【図５】本発明に係る帳票シートの第３実施形態の構成図である。
【図６】本発明に係る帳票シートの第４実施形態の構成図である。
【図７】図６の帳票シートの製造説明図（１）である。
【図８】図６の帳票シートの製造説明図（２）である。
【図９】従来の帳票シートに関連する伝票の説明図である。
【符号の説明】
【００４５】
１１                    帳票シート
１２，７１              シート基材
１３                    折込線
１４                    第１構成片
１５                    第２構成片
１５Ｂ，１５Ｃ          分離部
１６，２９，６２        切取線
２１，４１              弱接着層
２２，４２              中間シート
２３，２７，４０，５３  強接着層
２４，２６，４３，５４  剥離剤層
２５，５５              剥離シート
２８，５２              折込補助シート
３２                    配送物
５１                    剥離シート付接着シート
６１                    剥離シート兼用折込補助シート
【図１】
0004610462.tif 000002
【図２】
0004610462.tif 000003
【図３】
0004610462.tif 000004
【図４】
0004610462.tif 000005
【図５】
0004610462.tif 000006
【図６】
0004610462.tif 000007
【図７】
0004610462.tif 000008
【図８】
0004610462.tif 000009
【図９】
0004610462.tif 000010